【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
サーバ装置との間でＦＴＰプロトコルを用いてファイルの送受信を行う売上データ処理装置であって、
売上データを格納する格納手段と、
商品データの登録処理を行っていない場合に、前記サーバ装置からＦＴＰプロトコルを用いて送信されてきたコマンド及びファイルを受信する受信手段と、
前記受信手段により受信したコマンドが、前記売上データを取得するコマンドであった場合に、前記サーバ装置からＦＴＰプロトコルを用いて送信されてきたファイルの名称に基づいて前記格納されている売上データを読み出す読出手段と、
前記読み出した売上データを前記サーバ装置へ送信する送信手段と
を備えたことを特徴とする売上データ処理装置。
【請求項２】
前記サーバ装置より送信された動作モードを記憶する記憶手段を備え、
前記受信手段により受信したコマンドが、前記売上データを取得するコマンドであった場合に、前記読出手段は前記記憶手段内の動作モードに応じて前記格納されている売上データを読み出すことを特徴とする請求項１に記載の売上データ処理装置。
【請求項３】
前記読出手段は前記記憶手段内の動作モードが精算モードであった場合には、前記格納されている売上データを読み出し後、前記売上データを前記格納手段から消去して精算を行うことを特徴とする請求項２に記載の売上データ処理装置。
【請求項４】
前記売上データ処理装置における操作担当者が前記精算を許可された担当者であるか否かを判別する担当者判別手段を備え、
前記読出手段は、前記操作担当者が前記精算を許可された担当者である場合に、前記精算を行うことを特徴とする請求項３に記載の売上データ処理装置。
【請求項５】
サーバ装置との間でＦＴＰプロトコルを用いてファイルの送受信を行う売上データ処理装置であって、
売上データ及び設定データを格納する格納手段と、
前記サーバ装置から送信されてきたファイルを受信する受信手段と、
前記受信したファイルを判別し、前記受信されたファイル内のデータを、予め定められた売上データ処理装置のデータ形式に変換して前記格納手段内の設定データとして書き込む書込手段と、
を備えたことを特徴とする売上データ処理装置。
【請求項６】
前記データ処理装置が非処理状態であるときに、前記書込手段において、前記受信されたファイル内のデータの書き込みを行うことを特徴とする請求項５に記載の売上データ処理装置。
【請求項７】
サーバ装置との間でＦＴＰプロトコルを用いてファイルの送受信を行う売上データ処理装置のコンピュータを、
前記売上データを格納する格納手段、
商品データの登録処理を行っていない場合に、前記サーバ装置からＦＴＰプロトコルを用いて送信されてきたコマンド及びファイルを受信する受信手段、
前記受信手段により受信したコマンドが、前記売上データを取得するコマンドであった場合に、前記サーバ装置からＦＴＰプロトコルを用いて送信されてきたファイルの名称に基づいて前記格納されている売上データを読み出す読出手段、
前記読み出した売上データを前記サーバ装置へ送信する送信手段
として機能させるためのプログラム。
【請求項８】
サーバ装置との間でＦＴＰプロトコルを用いてファイルの送受信を行う売上データ処理装置のコンピュータを、
前記売上データ及び設定データを格納する格納手段、
前記サーバ装置から送信されてきたファイルを受信する手段、
前記受信したファイルを判別し、前記受信されたファイル内のデータを、予め定められた売上データ処理装置のデータ形式に変換して前記格納手段内の設定データとして書き込む手段、
として機能させるためのプログラム。
【手続補正２】
【補正対象書類名】明細書
【補正対象項目名】発明の名称
【補正方法】変更
【補正の内容】
【発明の名称】売上データ処理装置及びプログラム
【手続補正３】
【補正対象書類名】明細書
【補正対象項目名】０００１
【補正方法】変更
【補正の内容】
【０００１】
本発明は、ＦＴＰ（File Transfer Protocol）プロトコルを用いてサーバ装置とファイルデータの送受信を行う売上データ処理装置及びプログラムに関する。
【手続補正４】
【補正対象書類名】明細書
【補正対象項目名】０００４
【補正方法】変更
【補正の内容】
【０００４】
本発明の課題は、汎用的なプロトコルを用いてサーバ装置から売上データ処理装置の売上データの読み出しや設定データの書き込みができるようにすることである。
【手続補正５】
【補正対象書類名】明細書
【補正対象項目名】０００５
【補正方法】変更
【補正の内容】
【０００５】
本発明は、
サーバ装置との間でＦＴＰプロトコルを用いてファイルの送受信を行う売上データ処理装置であって、
売上データを格納する格納手段と、
商品データの登録処理を行っていない場合に、前記サーバ装置からＦＴＰプロトコルを用いて送信されてきたコマンド及びファイルを受信する受信手段と、
前記受信手段により受信したコマンドが、前記売上データを取得するコマンドであった場合に、前記サーバ装置からＦＴＰプロトコルを用いて送信されてきたファイルの名称に基づいて前記格納されている売上データを読み出す読出手段と、
前記読み出した売上データを前記サーバ装置へ送信する送信手段と
を備えたことを特徴としている。
【手続補正６】
【補正対象書類名】明細書
【補正対象項目名】０００６
【補正方法】変更
【補正の内容】
【０００６】
請求項５に記載の発明は、
サーバ装置との間でＦＴＰプロトコルを用いてファイルの送受信を行う売上データ処理装置であって、
売上データ及び設定データを格納する格納手段と、
前記サーバ装置から送信されてきたファイルを受信する受信手段と、
前記受信したファイルを判別し、前記受信されたファイル内のデータを、予め定められた売上データ処理装置のデータ形式に変換して前記格納手段内の設定データとして書き込む書込手段と、
を備えたことを特徴としている。
【手続補正７】
【補正対象書類名】明細書
【補正対象項目名】０００７
【補正方法】変更
【補正の内容】
【０００７】
本発明によれば、サーバ装置との間でＦＴＰプロトコルを用いてファイルの送受信を行う売上データ処理装置であって、商品データの登録処理を行っていない場合に、前記サーバ装置からＦＴＰプロトコルを用いて送信されてきたコマンド及びファイルを受信し、受信したコマンドが、前記売上データを取得するコマンドであった場合に、前記サーバ装置からＦＴＰプロトコルを用いて送信されてきたファイルの名称に基づいて前記格納されている売上データを読み出して前記サーバ装置へ送信するので、サーバ装置は、ＦＴＰプロトコルを用いて売上データ処理装置内の売上データを売上データ処理装置が商品データの登録処理を行っていない場合に取得することができる。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】